(57)【要約】【課題】トレイの載置面に載置された載置物と、光ピックアップの対物レンズとの衝突を防止して、対物レンズの破損を防止する情報記録媒体の再生装置を提供する。【解決手段】トレイ２３には、レンズ保護部材２７が設けられる。このレンズ保護部材２７は、光ピックアップ２６の近傍に設けられる。レンズ保護部材２７は、突出位置４１と退避位置４２とにわたって変位する。ディスク検出部材２８は、トレイ２３の載置面３１上に載置された予め定めるディスク状記録媒体２２によって押圧されて変位する。駆動手段２９は、ディスク検出部材２８の変位をレンズ保護部材２７に伝達して、レンズ保護部材２７を突出位置４１から退避位置４２に変位させ、かつディスク検出部材２８が変位しないときには、レンズ保護部材２７を突出位置４１に保持する。【選択図】      図１
2004158088.tif 000002
【特許請求の範囲】
【請求項１】
ディスク状記録媒体が載置される載置面を有し、ディスク状記録媒体が装着される装填開始位置と、ディスク状記録媒体に記録される情報を再生する装填完了位置とにわたって移動可能なトレイと、
前記装填完了位置に配置されたトレイに下方から近接した再生位置と、前記装填完了位置に配置されたトレイから離間する再生停止位置とにわたって移動可能な保持体と、
保持体に設けられ、前記装填完了位置に配置されるトレイ上のディスク状記録媒体が装着され、予め定める回転軸線まわりに回転駆動されるターンテーブルを有する回転駆動手段と、
ディスク状記録媒体に記録される情報を光学的に読み取り、かつ頂部が前記載置面よりも突出する対物レンズを有し、前記保持体に設けられる光ピックアップと、
光ピックアップの近傍でトレイに設けられ、対物レンズの頂部よりも突出した突出位置と、対物レンズの頂部よりも退避した退避位置とにわたって変位するレンズ保護部材と、
前記トレイの載置面上に載置された予め定めるディスク状記録媒体によって押圧されて変位するディスク検出部材と、
前記ディスク検出部材の変位を前記レンズ保護部材に伝達して、レンズ保護部材を突出位置から退避位置に変位させ、かつディスク検出部材が変位しないときには、前記レンズ保護部材を突出位置に保持する駆動手段とを含むことを特徴とする情報記録媒体の再生装置。
【請求項２】
前記保持体は、予め定めるディスク状記録媒体が載置されたトレイが装填完了位置に配置され、かつ保持体が再生位置に移動したとき、ディスク検出部材を押圧して、ディスク検出部材をディスク状記録媒体から離間させる突起部を有することを特徴とする請求項１記載の情報記録媒体の再生装置。
【請求項３】
ディスク状記録媒体が収容されたカートリッジが載置される載置面を有し、カートリッジが装着される装填開始位置と、カートリッジ内のディスク状記録媒体に記録される情報を再生する装填完了位置とにわたって移動可能なトレイと、
前記装填完了位置に配置されたトレイに下方から近接した再生位置と、前記装填完了位置に配置されたトレイから離間する再生停止位置とにわたって移動可能な保持体と、
保持体に設けられ、前記装填完了位置に配置されるトレイ上のカートリッジ内のディスク状記録媒体が装着され、予め定める回転軸線まわりに回転駆動されるターンテーブルを有する回転駆動手段と、
カートリッジ内のディスク状記録媒体に記録される情報を光学的に読み取り、かつ頂部が前記載置面よりも突出する対物レンズを有し、前記保持体に設けられる光ピックアップと、
光ピックアップの近傍でトレイに設けられ、対物レンズの頂部よりも突出した突出位置と、対物レンズの頂部よりも退避した退避位置とにわたって変位するレンズ保護部材と、
前記トレイの載置面上に載置された予め定めるカートリッジによって押圧されて変位するカートリッジ検出部材と、
前記カートリッジ検出部材の変位を前記レンズ保護部材に伝達して、レンズ保護部材を突出位置から退避位置に変位させ、かつカートリッジ検出部材が変位しないときには、前記レンズ保護部材を突出位置に保持する駆動手段とを含むことを特徴とする情報記録媒体の再生装置。
【請求項４】
前記カートリッジ検出部材は、載置面のうちで、角隅寄りの領域に設けられることを特徴とする請求項３記載の情報記録媒体の再生装置。
【発明の詳細な説明】
【０００１】
【発明の属する技術分野】
本発明は、情報記録媒体に記録される情報の再生および消去ならびに情報記録媒体への情報の記録が可能な情報記録媒体の再生装置に関する。
【０００２】
【従来の技術】
近年、コンパクトディスク（Ｃｏｍｐａｃｔ  Ｄｉｓｋ、略称ＣＤ）およびデジタルバーサタイルディスク（Ｄｉｇｉｔａｌ  Ｖｅｒｓａｔｉｌｅ  Ｄｉｓｋ、略称ＤＶＤ）などの情報記録媒体は、音楽情報、映像情報またはコンピュータ情報などのデジタル情報の記録に広く使用されている。
【０００３】
図１１は、従来の技術の情報記録媒体の再生装置１を示す断面図である。情報記録媒体の再生装置１は、トレイ２および保持体３とを備える。トレイ２は、ディスク状記録媒体を装着する装填開始位置と、ディスク状記録媒体に記録される情報を再生する装填完了位置とにわたって移動可能に設けられている。このトレイ２には、情報記録媒体であるディスク状記録媒体が載置される。
【０００４】
保持体３には、スピンドルモータ４および光ピックアップ５が設けられる。スピンドルモータ４には、ディスク状記録媒体が装着されるターンテーブル６が設けられる。光ピックアップ５は、ガイド軸７に案内されながら、ターンテーブル６に装着されたディスク状記録媒体の半径方向に移動可能に設けられる。この光ピックアップ５は、対物レンズ８を有し、ディスク状記録媒体に記録される情報を読み取る。
【０００５】
トレイ２が装填完了位置に移動した後、保持体３が角変位し、トレイ２上のディスク状記録媒体がターンテーブル６に装着される。この状態で、光ピックアップ５の対物レンズ８はディスク状記録媒体と所定の距離を保持し、ディスク状記録媒体に記録される情報の再生が行われる。（たとえば特許文献１参照）
【０００６】
【特許文献１】
特開平９−３５２７７号公報
【０００７】
【発明が解決しようとする課題】
前記情報記録媒体には、多くの規格に基づく種類の情報記録媒体が存在し、これらの情報記録媒体に記録される情報の再生、およびこれらの情報記録媒体に対する情報の記録が可能な、情報記録媒体の再生装置が開発され、商品化されている。これらの再生装置は、情報記録媒体に対する適用範囲がそれぞれ異なっている。したがって操作者が、適用範囲外の情報記録媒体を、誤って再生装置に挿入してしまうという可能性がある。例えば、コンパクトディスクプレーヤである再生装置に、ミニディスク（Ｍｉｎｉ  Ｄｉｓｃ、略称ＭＤ）を挿入してしまうことがある。
【０００８】
前記従来の技術の情報記録媒体の再生装置１では、トレイ２上に、その再生装置１の適用範囲外の情報記録媒体９が載置された場合、情報記録媒体９がターンテーブル６に装着されないことがある。このようなとき、図１１に示されるように、情報記録媒体９と対物レンズ８とが衝突して、対物レンズ８が破損してしまうという問題がある。
【０００９】
本発明の目的は、トレイの載置面に載置された載置物と、光ピックアップの対物レンズとの衝突を防止して、対物レンズの破損を防止する情報記録媒体の再生装置を提供することである。
【００１０】
【課題を解決するための手段】
本発明は、ディスク状記録媒体が載置される載置面を有し、ディスク状記録媒体が装着される装填開始位置と、ディスク状記録媒体に記録される情報を再生する装填完了位置とにわたって移動可能なトレイと、
前記装填完了位置に配置されたトレイに下方から近接した再生位置と、前記装填完了位置に配置されたトレイから離間する再生停止位置とにわたって移動可能な保持体と、
保持体に設けられ、前記装填完了位置に配置されるトレイ上のディスク状記録媒体が装着され、予め定める回転軸線まわりに回転駆動されるターンテーブルを有する回転駆動手段と、
ディスク状記録媒体に記録される情報を光学的に読み取り、かつ頂部が前記載置面よりも突出する対物レンズを有し、前記保持体に設けられる光ピックアップと、
光ピックアップの近傍でトレイに設けられ、対物レンズの頂部よりも突出した突出位置と、対物レンズの頂部よりも退避した退避位置とにわたって変位するレンズ保護部材と、
前記トレイの載置面上に載置された予め定めるディスク状記録媒体によって押圧されて変位するディスク検出部材と、
前記ディスク検出部材の変位を前記レンズ保護部材に伝達して、レンズ保護部材を突出位置から退避位置に変位させ、かつディスク検出部材が変位しないときには、前記レンズ保護部材を突出位置に保持する駆動手段とを含むことを特徴とする情報記録媒体の再生装置である。
【００１１】
本発明に従えば、トレイは、装填開始位置と装填完了位置とにわたって移動可能であり、保持体は、再生位置と再生停止位置とにわたって移動可能である。ディスク状記録媒体は、トレイが装填開始位置に配置されているときには、そのトレイの載置面上に載置されて装着される。ディスク状記録媒体が装着されたトレイは、装填開始位置から装填完了位置に移動する。トレイが装填完了位置に配置された後、保持体が、再生停止位置から再生位置に移動する。こうしてディスク状記録媒体が、保持体に設けられる回転駆動手段のターンテーブルに装着される。また、保持体に設けられる光ピックアップの対物レンズの頂部が、トレイの載置面から突出する。
【００１２】
ディスク検出部材が変位しないときには、駆動手段は、レンズ保護部材を突出位置に保持する。レンズ保護部材は、光ピックアップの近傍に設けられ、かつ突出位置において対物レンズの頂部よりも突出する。したがってレンズ保護部材が突出位置に配置されている場合、保持体が再生停止位置から再生位置に移動して、保持体に設けられる光ピックアップの対物レンズが載置面よりも突出しても、対物レンズの頂部が、トレイの載置面上に配置される載置物に衝突してしまうことが防がれる。このようにして対物レンズと載置物との衝突を防ぐことができるので、対物レンズと載置物との衝突に起因する対物レンズの破損を防ぐことができる。
【００１３】
ディスク検出部材は、予め定めるディスク状記録媒体がトレイの載置面上に載置されたとき、その載置されたディスク状記録媒体によって押圧されて変位する。このディスク検出部材の変位は、駆動手段によって、レンズ保護部材に伝達され、これによってレンズ保護部材は、突出位置から退避位置に変位する。レンズ保護部材が突出位置から退避位置に変位することによって、ディスク状記録媒体は、トレイの載置面上で安定する。このようにディスク状記録媒体が安定した状態で、保持体が再生停止位置から再生位置に移動して、ディスク状記録媒体がターンテーブルに装着される。したがってディスク状記録媒体がターンテーブルに装着される際に、ディスク状記録媒体の中心が、回転軸線からずれてしまうという不具合を防止することができる。
【００１４】
また本発明は、前記保持体は、予め定めるディスク状記録媒体が載置されたトレイが装填完了位置に配置され、かつ保持体が再生位置に移動したとき、ディスク検出部材を押圧して、ディスク検出部材をディスク状記録媒体から離間させる突起部を有することを特徴とする。
【００１５】
本発明に従えば、予め定めるディスク状記録媒体が載置されたトレイが装填完了位置に配置され、かつ保持体が再生位置に移動したとき、保持体に設けられる突起部が、ディスク検出部材を押圧して、ディスク検出部材をディスク状記録媒体から離間させる。このように保持体が再生位置に移動するとともに、ディスク検出部材をディスク状記録媒体から離間させることができるので、ディスク検出部材をディスク状記録媒体から離間させるための操作が必要なく、したがって操作の煩雑化が防がれ、操作性の低下を防ぐことができる。
【００１６】
また本発明は、ディスク状記録媒体が収容されたカートリッジが載置される載置面を有し、カートリッジが装着される装填開始位置と、カートリッジ内のディスク状記録媒体に記録される情報を再生する装填完了位置とにわたって移動可能なトレイと、
前記装填完了位置に配置されたトレイに下方から近接した再生位置と、前記装填完了位置に配置されたトレイから離間する再生停止位置とにわたって移動可能な保持体と、
保持体に設けられ、前記装填完了位置に配置されるトレイ上のカートリッジ内のディスク状記録媒体が装着され、予め定める回転軸線まわりに回転駆動されるターンテーブルを有する回転駆動手段と、
カートリッジ内のディスク状記録媒体に記録される情報を光学的に読み取り、かつ頂部が前記載置面よりも突出する対物レンズを有し、前記保持体に設けられる光ピックアップと、
光ピックアップの近傍でトレイに設けられ、対物レンズの頂部よりも突出した突出位置と、対物レンズの頂部よりも退避した退避位置とにわたって変位するレンズ保護部材と、
前記トレイの載置面上に載置された予め定めるカートリッジによって押圧されて変位するカートリッジ検出部材と、
前記カートリッジ検出部材の変位を前記レンズ保護部材に伝達して、レンズ保護部材を突出位置から退避位置に変位させ、かつカートリッジ検出部材が変位しないときには、前記レンズ保護部材を突出位置に保持する駆動手段とを含むことを特徴とする情報記録媒体の再生装置である。
【００１７】
本発明に従えば、トレイは、装填開始位置と装填完了位置とにわたって移動可能であり、保持体は、再生位置と再生停止位置とにわたって移動可能である。カートリッジは、トレイが装填開始位置に配置されているときには、そのトレイの載置面上に載置されて装着される。カートリッジが装着されたトレイは、装填開始位置から装填完了位置に移動する。トレイが装填完了位置に配置された後、保持体が、再生停止位置から再生位置に移動する。こうしてカートリッジ内のディスク状記録媒体が、保持体に設けられる回転駆動手段のターンテーブルに装着される。また、保持体に設けられる光ピックアップの対物レンズの頂部が、トレイの載置面から突出する。
【００１８】
カートリッジ検出部材が変位しないときには、駆動手段は、レンズ保護部材を突出位置に保持する。レンズ保護部材は、光ピックアップの近傍に設けられ、かつ突出位置において対物レンズの頂部よりも突出する。したがってレンズ保護部材が突出位置に配置されている場合、保持体が再生停止位置から再生位置に移動して、保持体に設けられる光ピックアップの対物レンズが載置面よりも突出しても、対物レンズの頂部が、トレイの載置面上に配置される載置物に衝突してしまうことが防がれる。このようにして対物レンズと載置物との衝突を防ぐことができるので、対物レンズと載置物との衝突に起因する対物レンズの破損を防ぐことができる。
【００１９】
カートリッジ検出部材は、予め定めるカートリッジがトレイの載置面上に載置されたとき、その載置されたカートリッジによって押圧されて変位する。このカートリッジ検出部材の変位は、駆動手段によって、レンズ保護部材に伝達され、これによってレンズ保護部材は、突出位置から退避位置に変位する。レンズ保護部材が突出位置から退避位置に変位することによって、カートリッジは、トレイの載置面上で安定する。このようにカートリッジが安定した状態で、保持体が再生停止位置から再生位置に移動して、カートリッジ内のディスク状記録媒体がターンテーブルに装着される。したがってカートリッジ内のディスク状記録媒体がターンテーブルに装着される際に、ディスク状記録媒体の中心が、回転軸線からずれてしまうという不具合を防止することができる。
【００２０】
また本発明は、前記カートリッジ検出部材は、載置面のうちで、角隅寄りの領域に設けられることを特徴とする。
【００２１】
本発明に従えば、カートリッジ検出部材は、載置面のうちで、角隅寄りの領域に設けられるので、カートリッジ検出部材は、カートリッジに収容されていないディスク状記録媒体によって、押圧されてしまうことがない。したがってカートリッジに収容されていないディスク状記録媒体と、対物レンズとの衝突を防ぐことができる。
【００２２】
【発明の実施の形態】
図１は、本発明の実施の一形態の情報記録媒体の再生装置２１を示す断面図である。以下、情報記録媒体の再生装置２１を、再生装置２１と表記することがある。本実施の形態の再生装置２１は、情報記録媒体であるディスク状記録媒体２２に記録される情報を再生する装置である。本実施の形態では、予め定めるディスク状記録媒体２２として、その直径がコンパクトディスク（Ｃｏｍｐａｃｔ  Ｄｉｓｋ、略称ＣＤ）およびデジタルバーサタイルディスク（Ｄｉｇｉｔａｌ  Ｖｅｒｓａｔｉｌｅ  Ｄｉｓｋ、略称ＤＶＤ）と同様の１２０ｍｍである光ディスクが選ばれる。再生装置２１は、トレイ２３、保持体２４、回転駆動手段２５、光ピックアップ２６、レンズ保護部材２７、ディスク検出部材２８および駆動手段２９を含む。
【００２３】
トレイ２３は、ディスク状記録媒体２２が載置される載置面３１を有する。載置面３１は、ディスク状記録媒体２２よりもわずかに直径が大きい。トレイ２３は、装填開始位置３２と装填完了位置３３とにわたって移動可能である。装填開始位置３２は、再生装置２１の装置本体から突出したトレイ２３の位置である。この装填開始位置３２で、ディスク状記録媒体２２が、トレイ２３の載置面３１に載置されて装着される。またこの装填開始位置３２で、トレイ２３の載置面３１に載置されているディスク状記録媒体２２が取り出される。装填完了位置３３は、ディスク状記録媒体２２に記録される情報を再生するときのトレイ２３の位置である。トレイ２３は、図示しないローディングモータによって、装填開始位置３２と装填完了位置３３とにわたって往復移動する。
【００２４】
保持体２４は、装填完了位置３３に配置されているときのトレイ２３の載置面３１に対して平行に延びる軸線Ｌ１まわりに角変位可能であり、これによって再生位置３４と再生停止位置３５とにわたって移動可能である。再生位置３４は、装填完了位置３３に配置されたトレイ２３に下方から近接した保持体２４の位置である。再生停止位置３５は、装填完了位置３３に配置されたトレイ２３から離間する保持体２４の位置である。
【００２５】
回転駆動手段２５は、保持体２４に設けられる。回転駆動手段２５は、スピンドルモータと、このスピンドルモータによって予め定める回転軸線Ｌ１１まわりに回転駆動されるターンテーブル３６とを有する。ターンテーブル３６には、装填完了位置３３に配置されているトレイ２３上のディスク状記録媒体２２が装着される。ディスク状記録媒体２２は、ターンテーブル３６に装着されることによって、トレイ２３の載置面３１から離間される。
【００２６】
光ピックアップ２６は、保持体２４に設けられる。光ピックアップ２６は、対物レンズ３７を有する。対物レンズ３７の頂部３８は、トレイ２３が装填完了位置３３に配置され、かつ保持体２３が再生位置３４に配置されたとき、トレイ２３の載置面３１から垂直な方向に突出量ΔＬ１だけ突出する。光ピックアップ２６は、ディスク状記録媒体２２に記録される情報を光学的に読み取る。
【００２７】
レンズ保護部材２７は、光ピックアップ２６の近傍でトレイ２３に設けられる。レンズ保護部材２７は、対物レンズ３７の頂部３８よりも突出した突出位置４１と、対物レンズ３７の頂部３８よりも退避した退避位置４２とにわたって変位する（後述の図４参照）。ディスク検出部材２８は、トレイ２３の載置面３１上に載置された予め定めるディスク状記録媒体２２によって押圧されて変位する。駆動手段２９は、ディスク検出部材２８の変位をレンズ保護部材２７に伝達して、レンズ保護部材２７を突出位置４１から退避位置４２に変位させる。また駆動手段２９は、ディスク検出部材２８が変位しないときには、レンズ保護部材２７を突出位置４１に保持する。
【００２８】
保持体２４には、突起部３９が設けられる。この突起部３９は、予め定めるディスク状記録媒体２２が載置されたトレイ２３が装填完了位置３２に配置され、かつ保持体２４が再生位置３４に移動したとき、ディスク検出部材２８を押圧して、ディスク検出部材２８をディスク状記録媒体２２から離間させる。
【００２９】
本実施の形態では、再生装置２１は、装填完了位置３３に配置されているときのトレイ２３の載置面３１に垂直な方向が、鉛直方向に対して平行または略平行となるように、設置される。また本実施の形態では、載置面３１は鉛直方向一方側である上方側に臨み、保持体２４は、トレイ２３よりも、鉛直方向他方側である下方側に配置される。
【００３０】
図２は、再生装置２１の平面図である。保持体２４には、前記回転軸線Ｌ１１に垂直な第１方向Ａに延びる一対の平行なガイド軸５１ａ，５１ｂが設けられる。光ピックアップ２６は、ガイド軸５１ａ，５１ｂによって案内され、光ピックアップ２６の対物レンズ３７は、ディスク状記録媒体２２の半径方向に沿って移動する。これによって対物レンズ３７は、ターンテーブル３６に装着されたディスク状記録媒体２２と所定の距離を保持しながら、ディスク状記録媒体２２の半径方向に沿って移動する。
【００３１】
トレイ２３には、第１〜第３貫通孔５２，５３，５４が形成される。第１貫通孔５２は、載置面３１の中央部と、光ピックアップ２６の対物レンズ３７の移動領域とを含む領域に形成される。第１貫通孔５２には、ターンテーブル３６および光ピックアップ２６の対物レンズ３７が挿通する。第２貫通孔５３は、光ピックアップ２６の近傍に形成され、第１貫通孔５２に連なる。第３貫通孔５４は、載置面３１内に形成される。第２貫通孔５３には、レンズ保護部材２７が配置され、第３貫通孔５４には、ディスク検出手段２８が配置される。レンズ保護部材２７とディスク検出手段２８との間には、駆動手段２９が介在される。
【００３２】
図３は、トレイ２３を下方から見た斜視図である。レンズ保護部材２７およびディスク検出部材２８は、トレイ２３の載置面３１に平行に延びる軸線Ｌ２１，Ｌ２２まわりに角変位可能に支持される。各軸線Ｌ２１，Ｌ２２は、相互に平行である。レンズ保護部材２７には、ばね７３が設けられる。このばね７３によって、レンズ保護部材２７は、退避位置４２から突出位置４１に変位する角変位方向一方Ｒ１ａに付勢される。ディスク検出部材２８には、ばね７４が設けられる。このばね７４によって、ディスク検出部材２８は、変位が阻止される角変位方向一方Ｒ２ａに付勢される（後述の図４参照）。
【００３３】
レンズ保護部材２７は、第１および第２延在部６１，６２を有する。第１および第２延在部６１，６２は、レンズ保護部材２７の前記軸線Ｌ２１に垂直な一方向に延びる。第１延在部６１は、レンズ保護部材２７の前記軸線Ｌ２１に関して、第２延在部６２の反対側に配置される。
【００３４】
ディスク検出部材２８は、第３および第４延在部６３，６４、カム部６５および凸部６６を有する。第３および第４延在部６３，６４は、ディスク検出部材２８の前記軸線Ｌ２２に垂直な一方向に延びる。第３延在部６３は、ディスク検出部材２８の前記軸線Ｌ２２に関して、第４延在部６４の反対側に配置される。第４延在部６４の遊端部には、カム部６５が湾曲して連なる。カム部６５は、ディスク検出部材２８の前記軸線Ｌ２２から離反するにつれて、角変位方向一方Ｒ２ａに傾斜する当接面を有する。この当接面は滑らかな曲面である。カム部６５の先端には、凸部６６が湾曲して連なる。この凸部６６は、第３および第４延在部６３，６４に対して平行である。
【００３５】
駆動手段２９は、トレイ２３の載置面３１の反対側に設けられる。駆動手段２９は、スライド部材７１と、引張ばね７２と、レンズ保護部材２７に設けられるばね７３とを含む。
【００３６】
スライド部材７１は、長手板状の基部７５を有する。基部７５の幅方向一方側の端部の長手方向両端部には、基部７５の長手方向に延びる延在部７６，７７が連なる。各延在部７６，７７の遊端部には、基部７５の幅方向他方に向かって延びる第１および第２ピン７８，７９が連なる。第１ピン７８は、レンズ保護部材２７に当接し、第２ピン７９はディスク検出部材２８の当接面に当接する。
【００３７】
基部７５には、その基部７５の長手方向に沿って、一対の溝８１ａ，８１ｂが形成される。各溝８１ａ，８１ｂは、基部７５の長手方向に延びる。トレイ２３には、一対の案内部材８２ａ，８２ｂが設けられる。各案内部材８２ａ，８２ｂは、基部７５の各溝８１ａ，８１ｂを挿通する。スライド部材７１は、各案内部材８２ａ，８２ｂによって案内される。このようにしてスライド部材７１が、長手方向に沿ってスライド変位可能に、トレイ２３に装着される。
【００３８】
本実施の形態では、スライド部材７１がスライド変位する方向を、スライド方向Ｓとする。また、レンズ保護部材２７からディスク検出部材２８に向かう方向を、スライド方向一方Ｓ１とし、ディスク検出部材２８からレンズ保護部材２７に向かう方向を、スライド方向他方Ｓ２とする。
【００３９】
基部７５の幅方向他方側の端部には、基部７５の幅方向他方に突出する第１および第２突出部８６，８７が設けられる。第１突出部８６は、第２突出部８７よりもスライド方向他方Ｓ２側に配置される。トレイ２３には、ストッパ部８８が設けられる。このストッパ部８８は、第１突起部８６よりもスライド方向他方Ｓ２側に配置される。ストッパ部８８には、第１突起部８６が当接し、スライド部材７１のスライド方向他方Ｓ２への変位が阻止される。
【００４０】
第２突出部８７には、引張ばね７２の一端部が取付けられる。引張ばね７２の他端部は、トレイ２３に設けられる取付部８９に取付けられる。取付部８９は、第２突出部８７よりもスライド方向他方Ｓ２側に配置される。引張ばね７２によって、スライド部材７１は、スライド方向他方Ｓ２に付勢される。
【００４１】
図４は、トレイ２３の断面図であり、図４（１）はディスク検出部材２８が押圧されていない自然状態を示す図であり、図４（２）はディスク検出部材２８が押圧された押圧状態を示す図である。
【００４２】
ディスク検出部材２８が押圧されていない自然状態では、図４（１）に示されるように、ディスク検出部材２８の第３延在部６３は、載置面３１から突出する。ディスク検出部材２８の第３延在部６３は、載置面３１から離反するにつれて、スライド方向他方Ｓ２側に傾斜する。スライド部材７１の第２ピン７９は、ディスク検出部材２８のカム部６５の当接面のうちで、第４延在部６４寄りの部分に当接する。スライド部材７１の第１突出部８６は、ストッパ部８８に当接する。スライド部材７１は、最もスライド方向他方Ｓ２に変位した状態にあり、引張ばね７２は、縮退した状態にある。第１ピン７８は、レンズ保護部材２７の前記軸線Ｌ２１よりもスライド方向他方Ｓ２側に位置し、レンズ保護部材２７を突出位置４１に保持する。
【００４３】
突出位置４１において、レンズ保護部材２７は、載置面３１から垂直な方向に突出量ΔＬ２だけ突出する。このレンズ保護部材２７の突出量ΔＬ２は、対物レンズ３７の頂部３８の突出量ΔＬ１よりも大きい（ΔＬ２＞ΔＬ１）。また突出位置４１において、レンズ保護部材２７の第２延在部６２は、載置面３１から離反するにつれて、スライド方向一方Ｓ１側に傾斜する。
【００４４】
ディスク検出部材２８が押圧された押圧状態では、図４（２）に示されるように、ディスク検出部材２８の第３延在部６３は、載置面３１から退避する。スライド部材７１の第２ピン７９は、ディスク検出部材２８のカム部６５の当接面のうちで、凸部６６寄りの部分に当接する。スライド部材７１の第１突出部８６は、ストッパ部８８から離間する。スライド部材７１は、最もスライド方向一方Ｓ１に変位した状態にあり、引張ばね７２は、伸長した状態にある。第１ピン７８は、レンズ保護部材２７の前記軸線Ｌ２１よりもスライド方向一方Ｓ１側に位置し、レンズ保護部材を退避位置４２に保持する。
【００４５】
図５は、トレイ２３の断面図であり、図５（１）は予め定めるディスク状記録媒体２２以外の載置物がトレイ２３に載置された状態を示し、図５（２）は予め定めるディスク状記録媒体２２以外の載置物がターンテーブル３６に装着された状態を示す。本実施の形態において「載置物」とは、予め定めるディスク状記録媒体２２がコンパクトディスクである場合には、そのコンパクトディスクとはサイズの異なるコンパクトディスクおよびミニディスク（Ｍｉｎｉ  Ｄｉｓｃ、略称ＭＤ）などである。ここでは、予め定めるディスク状記録媒体２２以外の載置物として、ミニディスク９６が載置された場合を示す。
【００４６】
ミニディスク９６がトレイ２３上に載置された場合、ミニディスク９６は、図５（１）に示されるように、突出位置４１にあるレンズ保護部材２７の上に載る。このときレンズ保護部材２７は、ミニディスク９６に押圧されて、角変位方向一方Ｒ１ａに角変位しようとするが、スライド部材７１の第１突出部８６がストッパ部８８に当接しているので、第１ピン７８がスライド方向他方Ｓ２に変位せず、したがって角変位方向一方Ｒ１ａに角変位しない。
【００４７】
ミニディスク９６が突出位置４１にあるレンズ保護部材２７の上に載った状態で、図５（２）に示されるように、トレイ２３が装填開始位置３２から装填完了位置３３に移動し、保持体２４が再生停止位置３５から再生位置３４に移動する。ディスク検出部材２８が角変位方向他方Ｒ２ｂに角変位していないので、保持体２４の突起部３９は、ディスク検出部材２８の凸部６６に当接しない。
【００４８】
保持体２４が再生位置３４への移動を完了したとき、光ピックアップ２６の対物レンズ３７の頂部３８は、トレイ２３の載置面３１から垂直な方向に突出量ΔＬ１だけ突出する。このときレンズ保護部材２７は、対物レンズ３７の頂部３８の突出量ΔＬ１よりも大きい突出量ΔＬ２（ΔＬ２＞ΔＬ１）だけ突出しているので、ミニディスク９６が対物レンズ３７に衝突することが防がれる。
【００４９】
レンズ保護部材２７とディスク検出部材２８とは、所定間隔をあけて配置されている。この所定間隔は、ミニディスク９６の寸法よりも大きい。この場合、ミニディスク９６がディスク検出部材２８を押圧することによって、ディスク検出部材２８が変位して、レンズ保護部材２７が退避位置４２に変位したとしても、ミニディスク９６は光ピックアップ２６に届かない。したがって、ミニディスク９６と光ピックアップ２６の対物レンズ３７とが衝突することはない。
【００５０】
本実施の形態では、ミニディスク９６がトレイ２３に載置された場合に限らず、レンズ保護部材２７とディスク検出部材２８との所定間隔よりも直径の小さいディスク状記録媒体が誤ってトレイ２３に載置された場合であっても、載置物と対物レンズ３７との衝突を防ぐことができる。
【００５１】
図６は、トレイ２３の断面図であり、図６（１）は予め定めるディスク状記録媒体２２がトレイ２３に載置された状態を示し、図６（２）は予め定めるディスク状記録媒体２２がターンテーブル３６に装着された状態を示す。
【００５２】
トレイ２３の載置面３１に予め定めるディスク状記録媒体２２が載置されると、載置されたディスク状記録媒体２２によって、ディスク検出部材２８が押圧されて角変位方向他方Ｒ２ｂへ変位する。この変位によって、ディスク検出部材２８のカム部６５の当接面に当接する第２ピン７９がスライド方向一方Ｓ１へ変位する。これによってスライド部材７１が、引張ばね７２の付勢力に抗して、スライド方向一方Ｓ１へスライド変位する。このスライド部材７１の第１ピン７８の変位によって、レンズ保護部材２７が角変位方向他方Ｒ１ｂへ変位する。このようにしてレンズ保護部材２７は、図６（１）に示されるように、突出位置４１から退避位置４２に変位する。
【００５３】
トレイ２３に予め定めるディスク状記録媒体２２が載置された状態で、図６（２）に示されるように、トレイ２３が装填開始位置３２から装填完了位置３３に移動し、保持体２４が再生停止位置３５から再生位置３４に移動する。保持体２４が再生停止位置３５から再生位置３４に移動するとき、トレイ２３の載置面３１に載置されていたディスク状記録媒体２２がターンテーブル３６に装着される。これによってディスク状記録媒体２２は、トレイ２３の載置面３１から離間する。こうしてディスク状記録媒体２２の再生が行われる。
【００５４】
ディスク状記録媒体２２がトレイ２３の載置面３１から離間することによって、ディスク状記録媒体２２によって押圧されていたディスク検出部材２８は、引張ばね７２の付勢力によって、角変位方向一方Ｒ２ａへ角変位しようとするが、保持体２４の突起部３９がディスク検出部材２８の凸部６６に当接し、ディスク検出部材２８の角変位を阻止している。これによってディスク状記録媒体２２の再生中にディスク検出部材２８がディスク状記録媒体２２と当接することが防がれる。
【００５５】
本実施の形態では、ディスク検出部材２８が変位しないときには、駆動手段２９は、レンズ保護部材２７を突出位置４１に保持する。レンズ保護部材２７は、光ピックアップ２６の近傍に設けられ、かつ突出位置４１において対物レンズ３７の頂部３８よりも突出する。したがってレンズ保護部材２７が突出位置４１に配置されている場合、保持体２４が再生停止位置３５から再生位置３４に移動して、保持体２４に設けられる光ピックアップ２６の対物レンズ３７が載置面３１よりも突出しても、対物レンズ３７の頂部３８が、トレイ２３の載置面３１上に配置される載置物に衝突してしまうことが防がれる。このようにして対物レンズ３７と載置物との衝突を防ぐことができるので、対物レンズ３７と載置物との衝突に起因する対物レンズ３７の破損を防ぐことができる。
【００５６】
ディスク検出部材２８は、予め定めるディスク状記録媒体２２がトレイ２３の載置面３１上に載置されたとき、その載置されたディスク状記録媒体２２によって押圧されて変位する。このディスク検出部材２８の変位は、駆動手段２９によって、レンズ保護部材２７に伝達され、これによってレンズ保護部材２７は、突出位置４１から退避位置４２に変位する。レンズ保護部材２７が突出位置４１から退避位置４２に変位することによって、ディスク状記録媒体２２は、トレイ２３の載置面３１上で安定する。このようにディスク状記録媒体２２が安定した状態で、保持体２４が再生停止位置３５から再生位置３４に移動して、ディスク状記録媒体２２がターンテーブル３６に装着される。したがってディスク状記録媒体２２がターンテーブル３６に装着される際に、ディスク状記録媒体２２の中心が、回転軸線Ｌ１１からずれてしまうという不具合を防止することができる。
【００５７】
また本実施の形態では、予め定めるディスク状記録媒体２２が載置されたトレイ２３が装填完了位置３３に配置され、かつ保持体２４が再生位置３４に移動したとき、保持体２４に設けられる突起部３９が、ディスク検出部材２８を押圧して、ディスク検出部材２８をディスク状記録媒体２２から離間させる。このように保持体２４が再生位置３４に移動するとともに、ディスク検出部材２８をディスク状記録媒体２２から離間させることができるので、ディスク検出部材２８をディスク状記録媒体２２から離間させるための操作が必要なく、したがって操作の煩雑化が防がれ、操作性の低下を防ぐことができる。
【００５８】
また本実施の形態では、レンズ保護部材２７、ディスク検出部材２８および駆動手段２９がいずれもトレイ２３に設けられる。この構成では、駆動手段２９による変位の伝達を容易にすることができる。
【００５９】
図７は、本発明の実施の他の形態の情報記録媒体の再生装置１０１を示す図であり、図８は情報記録媒体の再生装置１０１の平面図である。以下、情報記録媒体の再生装置１０１を、再生装置１０１と表記することがある。本実施の形態の再生装置１０１は、情報記録媒体であるカートリッジ１０２内のディスク状記録媒体１０３に記録される情報を再生する装置である。本実施の形態の再生装置１０１は、前述の実施の形態の再生装置２１に類似する。本実施の形態では、前述の実施の形態の再生装置２１と同一の部分については、同一の参照符を付して説明を省略する。
【００６０】
トレイ１２３は、カートリッジ１０２が載置される載置面１３１を有する。再生装置１０１は、ディスク検出部材２８に代えて、カートリッジ検出部材１２８を有する。カートリッジ検出部材１２８は、ディスク検出部材２８と大略的に同様な形状であり、第３延在部６３、第４延在部６４およびカム部６５を有する。カートリッジ検出部材１２８は、載置面１３１のうちで、角隅寄りの領域１０４に設けられる。この角隅寄りの領域１０４とは、載置面１３１のうちで、載置面１３１に載置された載置物１１０の可動範囲を除く領域のことである。
【００６１】
本実施の形態において「載置物」とは、カートリッジに収容されていないディスク状記録媒体であって、たとえばコンパクトディスクおよびデジタルバーサタイルディスクなどである。
【００６２】
図９は、予め定めるカートリッジ１０２内のディスク状記録媒体１０３がターンテーブル３６に装着された状態を示す図である。トレイ１２３の載置面１３１に予め定めるカートリッジ１０２が載置されると、載置されたカートリッジ１０２によって、カートリッジ検出部材１２８が押圧されて角変位方向他方Ｒ２ｂへ変位する。この変位によって、カートリッジ検出部材１２８のカム部６５の当接面に当接する第２ピン７９がスライド方向一方Ｓ１へ変位する。これによってスライド部材７１が、引張ばね７２の付勢力に抗して、スライド方向一方Ｓ１へスライド変位する。このスライド部材７１の第１ピン７８の変位によって、レンズ保護部材２７が角変位方向他方Ｒ１ｂへ変位する。このようにしてレンズ保護部材２７は、突出位置４１から退避位置４２に変位する。
【００６３】
トレイ１２３に予め定めるカートリッジ１０２が載置された状態で、トレイ１２３が装填開始位置３２から装填完了位置３３に移動し、保持体２４が再生停止位置３５から再生位置３４に移動する。保持体２４が再生停止位置３５から再生位置３４に移動するとき、トレイ１２３の載置面１３１に載置されていたカートリッジ１０２内のディスク状記録媒体１０３がターンテーブル３６に装着される。こうしてカートリッジ１０２内のディスク状記録媒体１０３の再生が行われる。
【００６４】
図１０は、予め定めるカートリッジ１０２以外の載置物１１０がターンテーブル３６に装着された状態を示す図である。載置物１１０がトレイ１２３上に載置された場合、載置物１１０は、レンズ保護部材２７の上に載る。このときレンズ保護部材２７は、載置物１１０に押圧されて、角変位方向一方Ｒ１ａに角変位しようとするが、スライド部材７１の第１突出部８６がストッパ部８８に当接しているので、第１ピン７８がスライド方向他方Ｓ２に変位せず、したがって角変位方向一方Ｒ１ａに角変位しない。
【００６５】
載置物１１０が突出位置４１にあるレンズ保護部材２７の上に載った状態で、トレイ１２３が装填開始位置３２から装填完了位置３３に移動し、保持体２４が再生停止位置３５から再生位置３４に移動する。保持体２４が再生位置３４への移動を完了したとき、光ピックアップ２６の対物レンズ３７の頂部３８は、トレイ１２３の載置面１３１から垂直な方向に突出量ΔＬ１だけ突出する。このときレンズ保護部材２７は、対物レンズ３７の頂部３８の突出量ΔＬ１よりも大きい突出量ΔＬ２だけ突出しているので、載置物１１０が対物レンズ３７に衝突することが防がれる。
【００６６】
本実施の形態では、カートリッジ検出部材１２８が変位しないときには、駆動手段２９は、レンズ保護部材２７を突出位置４１に保持する。レンズ保護部材２７は、光ピックアップ２６の近傍に設けられ、かつ突出位置４１において対物レンズ３７の頂部３８よりも突出する。したがってレンズ保護部材２７が突出位置４１に配置されている場合、保持体２４が再生停止位置３５から再生位置３４に移動して、保持体２４に設けられる光ピックアップ２６の対物レンズ３７が載置面１３１よりも突出しても、対物レンズ３７の頂部３８が、トレイ１２３の載置面１３１上に配置される載置物に衝突してしまうことが防がれる。このようにして対物レンズ３７と載置物との衝突を防ぐことができるので、対物レンズ３７と載置物との衝突に起因する対物レンズ３７の破損を防ぐことができる。
【００６７】
カートリッジ検出部材１２８は、予め定めるカートリッジ１０２がトレイ１２３の載置面１３１上に載置されたとき、その載置されたカートリッジ１０２によって押圧されて変位する。このカートリッジ検出部材１２８の変位は、駆動手段２９によって、レンズ保護部材２７に伝達され、これによってレンズ保護部材２７は、突出位置４１から退避位置４２に変位する。レンズ保護部材２７が突出位置４１から退避位置４２に変位することによって、カートリッジ１０２は、トレイ１２３の載置面１３１上で安定する。このようにカートリッジ１０２が安定した状態で、保持体２４が再生停止位置３５から再生位置３４に移動して、カートリッジ１０２内のディスク状記録媒体１０３がターンテーブル３６に装着される。したがってカートリッジ１０２内のディスク状記録媒体１０３がターンテーブル３６に装着される際に、ディスク状記録媒体１０３の中心が、回転軸線Ｌ１１からずれてしまうという不具合を防止することができる。
【００６８】
また本実施の形態では、カートリッジ検出部材１２８は、載置面１３１のうちで、角隅寄りの領域１０４に設けられるので、カートリッジ検出部材１２８は、カートリッジ１０２に収容されていないディスク状記録媒体によって、押圧されてしまうことがない。したがってカートリッジ１０２に収容されていないディスク状記録媒体と、対物レンズ３７との衝突を防ぐことができる。
【００６９】
【発明の効果】
以上のように本発明によれば、ディスク検出部材が変位しないときには、駆動手段は、レンズ保護部材を突出位置に保持する。レンズ保護部材は、光ピックアップの近傍に設けられ、かつ突出位置において対物レンズの頂部よりも突出する。したがってレンズ保護部材が突出位置に配置されている場合、保持体が再生停止位置から再生位置に移動して、保持体に設けられる光ピックアップの対物レンズが載置面よりも突出しても、対物レンズの頂部が、トレイの載置面上に配置される載置物に衝突してしまうことが防がれる。このようにして対物レンズと載置物との衝突を防ぐことができるので、対物レンズと載置物との衝突に起因する対物レンズの破損を防ぐことができる。
【００７０】
ディスク検出部材は、予め定めるディスク状記録媒体がトレイの載置面上に載置されたとき、その載置されたディスク状記録媒体によって押圧されて変位する。このディスク検出部材の変位は、駆動手段によって、レンズ保護部材に伝達され、これによってレンズ保護部材は、突出位置から退避位置に変位する。レンズ保護部材が突出位置から退避位置に変位することによって、ディスク状記録媒体は、トレイの載置面上で安定する。このようにディスク状記録媒体が安定した状態で、保持体が再生停止位置から再生位置に移動して、ディスク状記録媒体がターンテーブルに装着される。したがってディスク状記録媒体がターンテーブルに装着される際に、ディスク状記録媒体の中心が、回転軸線からずれてしまうという不具合を防止することができる。
【００７１】
また本発明によれば、保持体が再生位置に移動するとともに、ディスク検出部材をディスク状記録媒体から離間させることができるので、ディスク検出部材をディスク状記録媒体から離間させるための操作が必要なく、したがって操作の煩雑化が防がれ、操作性の低下を防ぐことができる。
【００７２】
また本発明によれば、カートリッジ検出部材が変位しないときには、駆動手段は、レンズ保護部材を突出位置に保持する。レンズ保護部材は、光ピックアップの近傍に設けられ、かつ突出位置において対物レンズの頂部よりも突出する。したがってレンズ保護部材が突出位置に配置されている場合、保持体が再生停止位置から再生位置に移動して、保持体に設けられる光ピックアップの対物レンズが載置面よりも突出しても、対物レンズの頂部が、トレイの載置面上に配置される載置物に衝突してしまうことが防がれる。このようにして対物レンズと載置物との衝突を防ぐことができるので、対物レンズと載置物との衝突に起因する対物レンズの破損を防ぐことができる。
【００７３】
カートリッジ検出部材は、予め定めるカートリッジがトレイの載置面上に載置されたとき、その載置されたカートリッジによって押圧されて変位する。このカートリッジ検出部材の変位は、駆動手段によって、レンズ保護部材に伝達され、これによってレンズ保護部材は、突出位置から退避位置に変位する。レンズ保護部材が突出位置から退避位置に変位することによって、カートリッジは、トレイの載置面上で安定する。このようにカートリッジが安定した状態で、保持体が再生停止位置から再生位置に移動して、カートリッジ内のディスク状記録媒体がターンテーブルに装着される。したがってカートリッジ内のディスク状記録媒体がターンテーブルに装着される際に、ディスク状記録媒体の中心が、回転軸線からずれてしまうという不具合を防止することができる。
【００７４】
また本発明によれば、カートリッジ検出部材は、載置面のうちで、角隅寄りの領域に設けられるので、カートリッジ検出部材は、カートリッジに収容されていないディスク状記録媒体によって、押圧されてしまうことがない。したがってカートリッジに収容されていないディスク状記録媒体と、対物レンズとの衝突を防ぐことができる。
【図面の簡単な説明】
【図１】本発明の実施の一形態の情報記録媒体の再生装置２１を示す断面図である。
【図２】再生装置２１の平面図である。
【図３】トレイ２３を下方から見た斜視図である。
【図４】トレイ２３の断面図であり、図４（１）はディスク検出部材２８が変位しない自然状態を示す図であり、図４（２）はディスク検出部材２８が押圧されて変位した押圧状態を示す図である。
【図５】トレイ２３の断面図であり、図５（１）は予め定めるディスク状記録媒体２２以外の載置物がトレイ２３に載置された状態を示し、図５（２）は予め定めるディスク状記録媒体２２以外の載置物がターンテーブル３６に装着された状態を示す。
【図６】トレイ２３の断面図であり、図６（１）は予め定めるディスク状記録媒体２２がトレイ２３に載置された状態を示し、図６（２）は予め定めるディスク状記録媒体２２がターンテーブル３６に装着された状態を示す。
【図７】本発明の実施の他の形態の情報記録媒体の再生装置１０１を示す図である。
【図８】情報記録媒体の再生装置１０１の平面図である。
【図９】予め定めるカートリッジ１０２内のディスク状記録媒体１０３がターンテーブル３６に装着された状態を示す図である。
【図１０】予め定めるカートリッジ１０２以外の載置物１１０がターンテーブル３６に装着された状態を示す図である。
【図１１】従来の技術の情報記録媒体の再生装置１を示す断面図である。
【符号の説明】
２１，１０１  情報記録媒体の再生装置
２２  ディスク状記録媒体
２３，１２３  トレイ
２４  保持体
２５  回転駆動手段
２６  光ピックアップ
２７  レンズ保護部材
２８，１２８  ディスク検出部材
２９  駆動手段
３１，１３１  載置面
３２  装填開始位置
３３  装填完了位置
３４  再生位置
３５  再生停止位置
３６  ターンテーブル
３７  対物レンズ
３８  頂部
３９  突起部
４１  突出位置
４２  退避位置
１０２  カートリッジ
【図１】
2004158088.tif 000003
【図２】
2004158088.tif 000004
【図３】
2004158088.tif 000005
【図４】
2004158088.tif 000006
【図５】
2004158088.tif 000007
【図６】
2004158088.tif 000008
【図７】
2004158088.tif 000009
【図８】
2004158088.tif 000010
【図９】
2004158088.tif 000011
【図１０】
2004158088.tif 000012
【図１１】
2004158088.tif 000013